(57)【特許請求の範囲】
【請求項１】
不動産物件を探しているユーザが使用する顧客端末と、
前記顧客端末とネットワークを介して接続され、顧客が内覧できる不動産物件情報を管理する管理サーバであって、種々の演算を行う演算装置と、不動産物件情報、内覧情報及びユーザ情報を格納する記憶装置と、を有する管理サーバと、
顧客が内覧を希望する不動産物件に設置された内覧ロボットと、を備え、
前記管理サーバが管理する不動産物件情報には、前記内覧ロボットの動作制御を許可するための制御キーが含まれており、
前記管理サーバは、
ユーザーが希望する不動産物件の内覧開始時刻と内覧終了時刻とを、前記顧客端末から受信し、ユーザー情報として記憶する機能と、
前記内覧開始時刻に前記内覧ロボットの制御キー情報を前記顧客端末と前記内覧ロボットに送信する機能と、
前記顧客端末は、前記管理サーバから送信された前記制御キーを、前記内覧ロボットへ送信する機能を実行し、
前記内覧ロボットは、
前記内覧開始時刻後に、前記顧客端末から送信される前記制御キーを前記管理サーバから送信された前記制御キーと同じであるか確認する機能と、
前記制御キーが同じであると確認後に、前記顧客端末へ制御開始できる通知を送信する機能と、
前記顧客端末からの制御指示により、指示内容に従い動作する機能と、
不動産物件に関して自ら得た情報を前記顧客端末へ送信する機能と、を実行し、
前記管理サーバは、
前記内覧終了時刻になると前記内覧ロボットへ前記制御キーのリセット情報を送信する機能を実行し、
前記内覧ロボットは、
前記制御キーのリセット情報を受信後に、前記顧客端末からの制御指示に対して動作を終了させる機能と、
前記顧客端末へ内覧終了通知を送信する機能と、
前記顧客端末との通信を終了させる機能と、
を実行することを特徴とする不動産物件の仲介業務を支援するための不動産仲介業務支援システム。
【請求項２】
不動産物件を探しているユーザが使用する顧客端末と、顧客端末とネットワークを介して接続された顧客が内覧できる不動産物件情報を管理する管理サーバであって、種々の演算を行う演算装置と、
不動産物件情報、内覧情報及びユーザ情報を格納する記憶装置と、
を有する管理サーバと、
顧客が内覧を希望する不動産物件に設置された内覧ロボットと、を備え、
前記管理サーバが管理する不動産物件情報には、前記内覧ロボットの動作指示をする
前記管理サーバへの接続を許可するための制御受諾キーが含まれており、
前記管理サーバは、
ユーザーが希望する不動産物件の内覧開始時刻と内覧終了時刻とを、前記顧客端末か
ら受信し、ユーザー情報として記憶する機能と、
前記制御受諾キーを前記顧客端末へ送信する機能と、
前記内覧開始時刻前には、前記顧客端末から送信される内覧受諾キーを受け付けない
機能と、を実行し、
前記顧客端末は、
前記内覧開始時刻に、前記制御受諾キーを、前記管理サーバへ送信する機能を実行し、
前記管理サーバは、
前記顧客端末から送信された前記制御受諾キーが、前記管理サーバが管理する前記制御受諾キーと同じであるかを確認する機能と、
前記制御受諾キーが同じであると確認後に、前記顧客端末へ制御開始できることを送
信する機能と、
前記顧客端末からの制御指示を、前記内覧ロボットへ送信する機能と、を実行し、
前記内覧ロボットは、
前記管理サーバからの制御指示により、指示内容に従い動作する機能と、
前記不動産物件に関して自ら得た情報を前記管理サーバへ送信する機能と、を実行し、
前記管理サーバは、
前記内覧ロボットからの情報を前記顧客端末へ送信する機能と、
内覧終了時刻になると、前記管理サーバは、前記顧客端末へ前記制御受諾キーのリセット情報を送信する機能と、
前記制御受諾キーのリセット情報を送信後に、前記顧客端末の制御指示に対して動作を受け付けを終了させる機能と、
前記内覧ロボットとの通信を遮断する機能と、
を実行することを特徴とする不動産物件の仲介業務を支援するための不動産仲介業務支援システム。
【請求項３】
不動産物件を探しているユーザが使用する顧客端末にネットワークを介して接続可能な不動産物件情報を管理する管理サーバと、
顧客が内覧を希望する不動産物件に設置された内覧ロボットと、を備え、
前記管理サーバは、種々の演算を行う演算装置と、不動産物件情報、内覧情報及びユーザ情報を格納する記憶装置とを備え、
前記管理サーバが管理する不動産物件情報には、顧客が内覧を希望する不動産物件に設置された前記内覧ロボットの動作制御を許可するための制御キーが含まれており、
前記管理サーバは、
ユーザーが希望する不動産物件の内覧開始時刻と内覧終了時刻とを、前記顧客端末から受信し、ユーザー情報として記憶する機能と、
前記内覧開始時刻に前記内覧ロボットの制御キー情報を前記顧客端末と前記内覧ロボットに送信する機能と、
前記内覧ロボットは、
前記内覧ロボットへ顧客端末から送信された、前記管理サーバから送信される前記制御キーを、受信する機能と、
前記顧客端末から送信される前記制御キーを前記管理サーバから送信された前記制御キーと同じであるか確認する機能と、
前記制御キーが同じであると確認後に、前記顧客端末へ制御開始できる通知を送信する機能と、
前記顧客端末からの制御指示により、指示内容に従い動作する機能と、
不動産物件に関して自ら得た情報を前記顧客端末へ送信する機能と、を実行し、
前記管理サーバは、
前記内覧終了時刻になると前記内覧ロボットへ前記制御キーのリセット情報を送信する機能を実行し、
前記内覧ロボットは、
前記制御キーのリセット情報を受信後に、前記顧客端末からの制御指示に対して動作を終了させる機能と、
前記顧客端末へ内覧終了通知を送信する機能と、
前記顧客端末との通信を終了させる機能と、
を実行することを特徴とする不動産物件の仲介業務を支援するための不動産仲介業務支援システム。
【請求項４】
不動産物件を探しているユーザが使用する顧客端末にネットワークを介して接続可能な不動産物件情報を管理する管理サーバと、
顧客が内覧を希望する不動産物件に設置された内覧ロボットと、を備え、
前記管理サーバは、種々の演算を行う演算装置と、不動産物件情報、内覧情報及びユーザ情報を格納する記憶装置とを備え、
前記管理サーバが管理する不動産物件情報には、顧客が内覧を希望する不動産物件情報に設置された内覧ロボットの動作制御をする管理サーバへの接続を許可するための制御
受諾キーが含まれており、
前記管理サーバは、
ユーザーが希望する不動産物件の内覧開始時刻と内覧終了時刻とを、前記顧客端末か
ら受信し、ユーザー情報として記憶する機能と、
前記制御受諾キーを前記顧客端末へ送信する機能と、
前記内覧開始時刻前には、前記顧客端末から送信される内覧受諾キーを受け付けない機能と、
前記内覧開始時刻後に、前記顧客端末から送信された前記制御受諾キーが、前記管理サーバが管理する前記制御受諾キーと同じであるか確認する機能と、
前記制御受諾キーが、前記顧客端末へ送信した前記制御受諾キーと同じであると確認後に、前記顧客端末へ制御開始できることを送信する機能と、
前記顧客端末からの制御指示を、前記内覧ロボットへ送信する機能と、を実行し、
前記内覧ロボットは、
前記管理サーバからの制御指示により、指示内容に従い動作する機能と、
前記不動産物件に関して自ら得た情報を前記管理サーバへ送信する機能と、を実行し、
前記管理サーバは、
前記内覧ロボットからの情報を前記顧客端末へ送信する機能と、
内覧終了時刻になると、前記管理サーバは、前記顧客端末へ前記制御受諾キーのリセット情報を送信する機能と、
前記制御受諾キーのリセット情報を送信後に、前記顧客端末の制御指示に対して動作を受け付けを終了させる機能と、
前記内覧ロボットとの通信を遮断する機能と、
を実行することを特徴とする不動産物件の仲介業務を支援するための不動産仲介業務支援システム。
【請求項５】
前記内覧ロボットは、不動産業者の担当者の同伴なく、また現地に行かずに物件の内覧を、前記顧客端末からの直接または間接の、制御により、不動産物件内を移動する機能と、搭載したカメラ、マイク、温度センサー、湿度センサーから映像、音声、温度、湿度を前記顧客端末へ直接または間接に、送信する機能を実行することを特徴とする請求項１、または２、または３、または４の不動産物件の仲介業務を支援するための不動産仲介業務支援システム。
【請求項６】
前記内覧ロボットは、前記顧客端末からの制御により、搭載したライトを点灯させることにより、不動産物件の照明を点灯させることなく、内覧ができる機能を実行することを特徴とする請求項１、または２、または３、または４の不動産物件の仲介業務を支援するための不動産仲介業務支援システム。
【請求項７】
前記内覧ロボットは、前記顧客端末からの直接または間接の、制御により、搭載したカメラの画像からカーテンレール、部屋寸法などを測定できる画像処理プログラムを使用して、ユーザが必要とする寸法を前記顧客端末へ直接または間接に、送信する機能を実行することを特徴とする請求項１、または２、または３、または４の不動産物件の仲介業務を支援するための不動産仲介業務支援システム。
【請求項８】
前記内覧ロボットは、前記顧客端末からの直接または間接の、制御により、昼夜を問わず物件の内覧ができ、一日の温度、湿度、明るさ、音の強さをモニターして記録し、ある期間に渡って、前記顧客端末からの要求に基づき、前記顧客端末へ、直接または間接に、送信する機能を実行することを特徴とする請求項１、または２、または３、または４の不動産物件の仲介業務を支援するための不動産仲介業務支援システム。
【請求項９】
前記内覧ロボットは、前記顧客端末からの直接または間接の、制御により、搭載したマイクからの音を騒音レベルに換算できる音量像処理プログラムを使用して、騒音レベルを顧客端末へ直接または間接に、送信する機能を実行することを特徴とする請求項１、または２、または３、または４の不動産物件の仲介業務を、支援するための不動産仲介業務支援システム。
【請求項１０】
前記内覧ロボットは、前記顧客端末からの直接または間接の制御により、不動産物件に階段などの段差を移動できる機能を実行することを特徴とする請求項１、または２、または３、または４の不動産物件の仲介業務を、支援するための不動産仲介業務支援システム。
【請求項１１】
前記管理サーバは、前記内覧ロボットが、内覧開始時刻と内覧終了時刻の間に取得した種々の情報を保管して、内覧終了後に、前記顧客端末に、前記管理サーバ内に保管している情報を送信する機能を、実行することを特徴とする請求項１、または２、または３、または４の不動産物件の仲介業務を支援するための不動産仲介業務支援システム。
【発明の詳細な説明】
【技術分野】
【０００１】
本発明は、不動産物件の仲介業務を支援するシステムに関し、特に、不動産物件の内覧を効率的に行うための不動産仲介業務支援システムに関する。
【背景技術】
【０００２】
不動産物件は、一般に、不動産仲介業者に仲介を依頼して、賃貸・販売されるケースが
多い。不動産仲介業務では、不動産仲介業者は、店舗を訪れた入居希望者に対して、自社で内覧可能な不動産の物件情報を入居希望者に見せ、入居希望者が気に入った物件がある場合には、入居希望者を現地まで連れて行って当該物件を内覧してもらい、その後、賃貸や売買契約を結ぶといった業務が行われている。
【０００３】
また、入居希望者が、実際に物件の家具などの配置の検討、カーテンの寸法を確認する場合、正確な図面がないケースが多く、寸法を現地まで不動産仲介業者とともに出向き、測定する必要がある。物件の昼間、夜間の日照、騒音などの確認をするためには、長時間に渡り物件に居る必要があるが、不動産仲介業者同伴を伴うものであり、実態としては入居後にしか実際の住環境の確認はできない状況であった。入居希望者が遠方の場合は、長距離の移動を長時間かけて物件まで出向くため、実際に内覧するための時間制約があり、十分な内覧ができないのが現状であった。
【０００４】
高齢者向け物件では、入居希望者が車椅子など歩行困難な場合は、内覧をせずに入居、もしくは購入するケースもあり、入居後に考えていた環境と異なることが解ることがある。また高齢者の中には、寝たきりの人も介護老人ホームなどの高齢者物件へ入居されることもあるが、本人が内覧することは物理的に難しく、家族、介護支援者が本人に代わって内覧し、物件を決め、入居者自身が物件を確認せず、本人の意思でない状況で物件を決定しているのが現状である。
【０００５】
このように、従来の一般的な不動産仲介業務フローでは、内覧を行う際には、不動産仲介業者の担当者と実際に会って物件情報を見せてもらい、気に入った物件を実際に内覧したい場合には、当該物件の鍵の開閉をしてもらうため、長時間掛けて顧客は不動産仲介業者を訪問し、不動産仲介業者と共に、物件まで出向く必要があった。
【０００６】
前記のように内覧には時間制約があり、十分に部屋の寸法確認を行なう時間もなく、また入居後でしか実際の住環境の確認はできないものであった。高齢者などで車椅子を使用している人、寝たきりの人は、実際に物件を内覧することが困難であった。
【０００７】
一方、インターネットを介して、自宅ＰＣや携帯電話等で物件情報を内覧予約、内覧可能なシステムも提供されており、例えば、下記特許文献１、２に開示されている。特許文献１では、ユーザが携帯電話端末を使って不動産物件情報を閲覧すると共に、ユーザが内覧を希望する場合には、携帯電話端末から内覧予約を行い、不動産業者が内覧時間に鍵を開けに行き、内覧を行うことができる不動産物件情報提供システムが開示されている。
また特許文献２では、コンピュータ端末を用いて、物件巡回者が撮影送信する物件の映像を見ながら、コンピュータ端末による通話、文字、その他の意思伝達手段により、物件巡回者に必要な指示をなすとともに、契約を検討する者に対して、物件に関する契約のための案内をリアルタイムに行う物件案内方法が開示されている。
【先行技術文献】
【特許文献】
【０００８】
【特許文献１】特開2011-170421
【特許文献２】特開2013−191191
【発明の概要】
【発明が解決しようとする課題】
【０００９】
ところで、入居希望者の側も、入居希望物件を時間制約なく、さらに入居希望者自身だけの都合で自由に、また昼夜の物件内の住環境を確認できる内覧をしたいという要望も増えており、歩行困難な入居希望者も、自身の体調などの状態を考慮して自身の都合のよい時間帯に内覧をしたいとの要求がある。
【００１０】
また不動産仲介業者側にとっても、物件の紹介を行ったり、物件の内覧の同行を伴わずに済むために、人的コストを抑えられるメリットが大きい。
【００１１】
本発明は、このような課題に鑑みてなされたものであり、入居希望者が、場所、時間の制約なく、自由に不動産物件の内覧をすることが可能な不動産仲介業務支援システムを提供することを目的とする。
【課題を解決するための手段】
【００１２】
上記課題を解決するための本発明に係る不動産仲介業務支援ステムは、不動産物件を探しているユーザが使用する顧客端末と、顧客端末とネットワークを介して接続され、顧客が内覧できる不動産物件情報を管理する管理サーバであって、種々の演算を行う演算装置と、不動産物件情報、内覧情報及びユーザ情報を格納する記憶装置と、を有する管理サーバと、顧客が内覧を希望する不動産物件に設置された内覧ロボットと、を備え、管理サーバが管理する不動産物件情報には、内覧ロボットの動作制御を許可するための制御キーが含まれており、管理サーバは、ユーザーが希望する不動産物件の内覧開始時刻と内覧終了時刻とを、顧客端末から受信し、ユーザー情報として記憶する機能と、内覧開始時刻に内覧ロボットの制御キー情報を顧客端末と内覧ロボットに送信する機能と、顧客端末は、管理サーバから送信された制御キーを、内覧ロボットへ送信する機能を実行し、内覧ロボットは、内覧開始時刻後に、顧客端末から送信される制御キーを、管理サーバから送信された制御キーと同じであるか確認する機能と、制御キーが同じであると確認後に、顧客端末へ制御開始できる通知を送信する機能と、顧客端末からの制御指示により、指示内容に従い動作する機能と、不動産物件に関して自ら得た情報を顧客端末へ送信する機能と、を実行し、管理サーバは、内覧終了時刻になると内覧ロボットへ前記制御キーのリセット情報を送信する機能を実行し、内覧ロボットは、制御キーのリセット情報を受信後に、顧客端末からの制御指示に対して動作を終了させる機能と、顧客端末へ内覧終了通知を送信する機能と、顧客端末との通信を終了させる機能と、を実行することを特徴とする。
【００１３】
また本発明に係る不動産仲介業務支援システムは、不動産物件を探しているユーザが使用する顧客端末と、顧客端末とネットワークを介して接続された顧客が内覧できる不動産物件情報を管理する管理サーバであって、種々の演算を行う演算装置と、不動産物件情報、内覧情報及びユーザ情報を格納する記憶装置と、を有する管理サーバと、顧客が内覧を希望する不動産物件に設置された内覧ロボットと、を備え、管理サーバが管理する不動産物件情報には、内覧ロボットの動作指示をする前記管理サーバへの接続を許可するための制御受諾キーが含まれており、管理サーバは、ユーザーが希望する不動産物件の内覧開始時刻と内覧終了時刻とを、顧客端末から受信し、ユーザー情報として記憶する機能と、制御受諾キー情報を顧客端末へ送信する機能と、内覧開始時刻前には、顧客端末から送信される内覧受諾キーを受け付けない機能と、を実行し、顧客端末は、内覧開始時刻に、制御受諾キーを、管理サーバへ送信する機能を実行し、管理サーバは、顧客端末から送信された制御受諾キーが、管理サーバが管理する制御受諾キーと同じであるかを確認する機能と、制御受諾キーが同じであると確認後に、顧客端末へ制御開始できることを送信する機能と、顧客端からの制御指示を、内覧ロボットへ送信する機能と、を実行し、内覧ロボットは、管理サーバからの制御指示により、指示内容に従い動作する機能と、不動産物件に関して自ら得た情報を管理サーバへ送信する機能と、を実行し、管理サーバは、内覧ロボットからの情報を顧客端末へ送信する機能と、内覧終了時刻になると、管理サーバは、顧客端末へ制御受諾キーのリセット情報を送信する機能と、制御受諾キーのリセット情報を送信後に、顧客端末の制御指示に対して動作を受け付けを終了させる機能と、内覧ロボットとの通信を遮断する機能と、を実行することを特徴とする。
【００１４】
また、本発明に係る不動産仲介業務支援ステムは、不動産物件を探しているユーザが使用する顧客端末にネットワークを介して接続可能な不動産物件情報を管理する管理サーバと、顧客が内覧を希望する不動産物件に設置された内覧ロボットと、を備え、管理サーバは、種々の演算を行う演算装置と、不動産物件情報、内覧情報及びユーザ情報を格納する記憶装置とを備え、管理サーバが管理する不動産物件情報には、顧客が内覧を希望する不動産物件に設置された内覧ロボットの動作制御を許可するための制御キーが含まれており、管理サーバは、ユーザーが希望する不動産物件の内覧開始時刻と内覧終了時刻とを、顧客端末から受信し、ユーザー情報として記憶する機能と、内覧開始時刻に内覧ロボットの制御キー情報を顧客端末と前記内覧ロボットに送信する機能と、内覧ロボットは、内覧ロボットへ顧客端末から送信された、管理サーバから送信される制御キーを、受信する機能と、顧客端末から送信される制御キーを管理サーバから送信された制御キーと同じであるか確認する機能と、制御キーが同じであると確認後に、顧客端末へ制御開始できる通知を送信する機能と、顧客端末からの制御指示により、指示内容に従い動作する機能と、不動産物件に関して自ら得た情報を顧客端末へ送信する機能と、を実行し、管理サーバは、内覧終了時刻になると内覧ロボットへ制御キーのリセット情報を送信する機能を実行し、内覧ロボットは、制御キーのリセット情報を受信後に、顧客端末からの制御指示に対して動作を終了させる機能と、顧客端末へ内覧終了通知を送信する機能と、顧客端末との通信を終了させる機能と、を実行することを特徴とする。
【００１５】
また、本発明に係る不動産仲介業務支援ステムは、不動産物件を探しているユーザが使用
する顧客端末にネットワークを介して接続可能な不動産物件情報を管理する管理サーバと、
顧客が内覧を希望する不動産物件に設置された内覧ロボットと、を備え、管理サーバは、種々の演算を行う演算装置と、不動産物件情報、内覧情報及びユーザ情報を格納する記憶装置とを備え、管理サーバが管理する不動産物件情報には、顧客が内覧を希望する不動産物件情報に設置された内覧ロボットの動作制御をする管理サーバへの接続を許可するための制御受諾キーが含まれており、管理サーバは、ユーザーが希望する不動産物件の内覧開始時刻と内覧終了時刻とを、顧客端末から受信し、ユーザー情報として記憶する機能と、制御受諾キー情報を顧客端末へ送信する機能と、内覧開始時刻前には、顧客端末から送信される内覧受諾キーを受け付けない機能と、を実行し、内覧開始時刻後に、顧客端末から送信された制御受諾キーが、管理サーバが管理する制御受諾キーと同じであるか確認する機能と、制御受諾キーが、顧客端末へ送信した制御受諾キーと同じであると確認後に、顧客端末へ制御開始できることを送信する機能と、顧客端からの制御指示を、内覧ロボットへ送信する機能と、を実行し、内覧ロボットは、管理サーバからの制御指示により、指示内容に従い動作する機能と、不動産物件に関して自ら得た情報を管理サーバへ送信する機能と、を実行し、管理サーバは、内覧ロボットからの情報を顧客端末へ送信する機能と、内覧終了時刻になると、管理サーバは、顧客端末へ制御受諾キーのリセット情報を送信する機能と、制御受諾キーのリセット情報を送信後に、顧客端末の制御指示に対して動作を受け付けを終了させる機能と、内覧ロボットとの通信を遮断する機能と、を実行することを特徴とする。
【００１６】
また、内覧ロボットは、不動産業者の担当者の同伴なく、また現地に行かずに物件の内覧を、顧客端末からの直接または間接の、制御により、不動産物件内を移動する機能と、搭載したカメラ、マイク、温度センサー、湿度センサーから映像、音声、温度、湿度を顧客端末へ直接または間接に、送信する機能を実行することを特徴とする。
【００１７】
また、内覧ロボットは、顧客端末からの制御により、搭載したライトを点灯させることにより、不動産物件の照明を点灯させることなく、内覧ができる機能を実行することを特徴とする。
【００１８】
また、内覧ロボットは、顧客端末からの直接または間接の、制御により、搭載したカメラの画像からカーテンレール、部屋寸法などを測定できる画像処理プログラムを使用して、ユーザが必要とする寸法を顧客端末へ直接または間接に、送信する機能を実行することを特徴とする。
【００１９】
また、内覧ロボットは、顧客端末からの直接または間接の、制御により、昼夜を問わず物件の内覧ができ、一日の温度、湿度、明るさ、音の強さをモニターして記録し、ある期間に渡って、顧客端末からの要求に基づき、顧客端末へ、直接または間接に、送信する機能を実行することを特徴とする。
【００２０】
また、内覧ロボットは、顧客端末からの直接または間接の、制御により、搭載したマイクからの音を騒音レベルに換算できる音量像処理プログラムを使用して、騒音レベルを顧客端末へ直接または間接に、送信する機能を実行することを特徴とする。
【００２１】
また、内覧ロボットは、顧客端末からの直接または間接の制御により、不動産物件に階段などの段差を移動できる機能を実行することを特徴とする。
【００２２】
また、管理サーバは、内覧ロボットが、内覧開始時刻と内覧終了時刻の間に取得した種々の情報を保管して、内覧終了後に、顧客端末に、管理サーバ内に保管している情報を送信する機能を、実行することを特徴とする。
【発明の効果】
【００２３】
本発明によれば、入居希望者が場所、時間の制約なく、自由に不動産物件の内覧をすることが可能となる。
【図面の簡単な説明】
【００２４】
【図１】図１は、本実施形態に係る不動産仲介業務支援システムの構成を概略的に示す模式図である。
【図２】図２は、本実施形態に係る不動産仲介業務支援システムにおける不動産物件の内覧を行う際の手順を示すフローチャート(1)である。
【図３】図３は、本実施形態に係る不動産仲介業務支援システムにおける不動産物件の内覧を行う際の手順を示すフローチャート(２)である。
【図４】図４は、本実施形態に係る顧客端末の画面上に表示される、管理サーバに格納された物件詳細情報の内容を示す図である。
【図５】図５は、本実施形態に係る顧客端末の画面上に表示される、内覧ロボットを使用して物件を内覧しているときの図である。
【図６】図６は、本実施形態に係る管理サーバの構成を概略的に示す模式図である。
【図７】図７は、本実施形態に係る内覧ロボットの構成を概略的に示す模式図である。
【発明を実施するための形態】
【００２５】
図面を参照しながら本発明の実施形態について詳細に説明する。図１は、本実施形態に
係る不動産仲介業務支援システムの構成を概略的に示す模式図である。図１に示すように、不動産仲介業務支援システム１は、インターネット等のネットワーク５を介して通信可能に接続された管理サーバ４０と、入居希望者であるユーザが使用する顧客端末２０、内覧希望する物件に設置した内覧ロボット１０とを備える。
【００２６】
図６は、本実施形態に係る管理サーバ４０の構成を概略的に示す模式図である。管理サーバ４０は、演算を行うＣＰＵ（Central Processing  Unit）６１と、各種情報を記憶しておくＨＤＤ（Hard Disc Drive）６３と、演算処理のワークエリアとして使用されるＲＡＭ（Random Access Memory）６２を備えている。
管理サーバ４０は、不動産仲介業務支援システム１を使用する不動産会社の本社やデータセンターに設置される。
【００２７】
管理サーバ４０内のＨＤＤ６３には、物件検索プログラムと、内覧ロボットから送信される画像などの情報を処理する内覧ロボット情報処理プログラム、例えば汎用ブラウザなどの表示プログラムと、乱数などを使用した管理キー発行プログラムと、内覧ロボット予約管理プログラムと、物件の名前、住所、間取り、家賃等を格納した物件情報ＤＢと、各物件の内覧予約を管理する物件内覧予約情報ＤＢと、各ロボットの予約管理をする内覧ロボット予約情報ＤＢとを備えている。
【００２８】
図７は、本実施形態に係る内覧ロボット１０の構成を概略的に示す模式図である。内覧ロボット１０は、各種演算を行うＣＰＵ（Central Processing  Unit）７１と、演算処理のワークエリアとして使用されるＲＡＭ（Random Access Memory）７２と、物件内の様子を動画で撮影できるカメラと、物件内の音を拾うためのマイク、物件内の温度、湿度を計測するセンサーと、夜間、暗い場所で使用する照明装置と、内覧時にロボットを駆動させるためのバッテリー等からなる付帯装置７３と、物件内を10cm程度の段差部があっても移動可能な内覧ロボット移動装置と、カメラを上下移動と角度を変えることができるカメラ上下、角度駆動装置とからなる駆動部７４と、ネットワーク５を介して送られてくる制御指示情報と、カメラからの動画、各種センサーなどから送られてくる情報を処理する情報処理プログラムと、動画、温度湿度などの情報を記憶しておく情報保管ＤＢと、カメラからの画像を処理して寸法を算出する寸法測定プログラムと、ロボット制御プログラム等を格納しているＨＤＤ（Hard Disc Drive）７５と、ネットワーク５と無線で通信できる無線通信装置７６とを備えている。
【００２９】
内覧物件に２階部分があるような場合は、内覧ロボット１０の移動のための駆動部は、物件内の階段等の段差を上り下りできる機能、例えば二足歩行ロボット、キャタピラ型ロボットなどの機能も備えている。
【００３０】
図２は、本不動産仲介業務支援システム１における内覧ロボット１０を使用して内覧を行う際の手順を示すフォローチャートである。なお、下記で説明する管理サーバ４０、顧客端末２０、内覧ロボット１０の機能は、これらの演算装置が所定のプログラムを実行することで実現される。
【００３１】
物件を探している顧客は、顧客端末２０から、ネットワーク５を介して、管理サーバ４０にアクセスでき、管理サーバ４０内にあらかじめ格納されている物件情報から、顧客の希望する物件を検索するプログラム、例えば汎用ブラウザプログラムを備えており、顧客は希望する物件を検索できる。
【００３２】
図４に示すように、顧客は、希望物件が見つかった時に、内覧ロボット１０を使用して内覧を希望する場合、顧客端末２０に表示される物件詳細情報の内容を図４に表示されたロボット案内使用希望をクリックすると、内覧ロボット１０の予約に必要な情報の、顧客氏名、住所、電話番号、メールアドレス、内覧希望物件、内覧希望日時を入力出来る状態となり、顧客は必要事項を入力する。必要事項を入力後に、図４に示す送信ボタンをクリックすると、ネットワーク５を介して管理サーバ４０へデータが送信される。
【００３３】
管理サーバ４０は、顧客端末２０から送信されたデータをもとに、内覧希望物件の空き状況を管理サーバ４０内の物件内覧予約情報ＤＢからと、内覧ロボット１０の空き状況を管理サーバ４０内の内覧ロボット予約情報ＤＢからと、を参照して確認する内覧ロボット予約管理プログラムを通じて、内覧ロボット１０での内覧可能かの判断をおこなう。内覧希望物件、もしくは内覧ロボットの予約に空きがなく、内覧できない場合は、顧客端末２０に内覧不可の情報を送信し、内覧出来る場合は、内覧可能と、内覧ロボット１０のロボットに関連した使用料金、支払い方法、支払い期限を送信しする。前記情報は、顧客が入力したメールアドレス宛にも、管理サーバーから同時に送信される。使用料金が物件所有者、不動産会社が負担の場合は、顧客の使用料金は発生しないので、使用料金なしの情報のみが送信される。
【００３４】
顧客端末２０には、管理サーバ４０から送信された前記情報が表示され、内覧可能な場合、顧客は、内覧申し込みボタンをクリック後に、各支払方法を記載したボタンから希望する使用料金の支払い方法を選択し、希望の支払方法のボタンをクリックする。もし、内覧を希望しない場合は、内覧申込み取り消しボタンをクリックする。
【００３５】
管理サーバ４０は、顧客から申込み情報を受け取ると、内覧ロボット予約管理プログラムを通じて、物件内覧予約情報ＤＢと、内覧ロボット予約情報ＤＢに顧客予約情報をインプットし、予約された時間帯に、他の予約受付が出来ないように管理する。
【００３６】
顧客は、使用料金を選択した支払い方法により通知された支払い期限までに支払いをおこなう。不動産会社の担当者は、顧客からの支払いを確認後に、管理サーバ４０に、支払い済み情報を入力する。
【００３７】
管理サーバー４０は、支払い期限までに支払い済み情報の入力がない場合は、顧客のメールアドレスに、支払い期限切れのため内覧予約をキャンセルする通知を行い、同時に物件内覧予約情報ＤＢと、内覧ロボット予約情報ＤＢに顧客予約キャンセル処理を行う。
【００３８】
管理サーバ４０は、支払い済み情報を入力されたことを確認後に、顧客が入力したメールアドレスへ、支払い完了と、内覧ロボットへアクセスするための、管理サーバー４０内の内覧ロボット予約情報ＤＢに保管されている内覧ロボット１０のＩＰアドレスと、管理キー発行プログラムにより発行されるロボット制御キーとを、送信する。
【００３９】
不動産会社の担当者は、支払い完了を受けて、内覧開始時間までに、不動産会社に保管している内覧ロボット１０を内覧希望物件に運び込み、室内に設置を行う。その時に室内のトイレ、風呂、押入れ、クローゼット、キッチン収納扉、下駄箱、室内扉などの開閉部分は、内覧ロボット１０で撮影可能なように扉等を全開にしておく。
【００４０】
内覧開始時間になると、管理サーバ４０は、顧客端末２０へ開始時間となったことを送信し、内覧ロボット１０へはロボット制御キーを送信する。
【００４１】
顧客端末２０は、送付されたＩＰアドレスを、例えば汎用ブラウザのアドレスバーに入力することで、内覧ロボットへアクセスするができ、図５に示すような画面が表示される。顧客は、顧客端末２０から図５に表示されるロボット制御キー入力部分に、送付されたロボット制御キーを入力する。内覧ロボット１０は、管理サーバ４０から送信されたロボット制御キーと一致するかを確認する。内覧ロボット１０は、ロボット制御キーが一致したことを確認後に、顧客端末２０へ内覧ロボット１０の制御許可状態になったことを送信し、顧客端末２０に図５に示す内覧ロボット１０の制御操作、カメラの制御操作、室内映像、温度、湿度などのボタンを押すことにより、顧客端末２０から内覧ロボットの制御が可能となる。
【００４２】
顧客は、顧客端末２０に表示される図５のような制御操作画面から、内覧ロボット１０を移動させることができ、物件内を自由に内覧することができる。トイレ、風呂など暗い場所、夜間については、内覧ロボット１０に搭載されているライトを点灯させ、内覧できる。内覧ロボット１０に搭載しているカメラは、上下移動と角度を制御できる機能を備えており、低い位置からの映像、天井部分、床部分の映像、キッチン、バスタブ内の内覧もできる。カーテンレール、洗濯機置き場など寸法を測定したい場合には、内覧ロボット１０内のスマートフォンのアプリであるのと同等な機能を有する寸法測定プログラムにより映像を画像処理して寸法計算を行い、顧客端末２０に計算結果を表示する機能を有している。顧客端末２０は、内覧時間内であれば、前記操作を繰り返して行うことが出来る。
【００４３】
顧客は、内覧時間内であれば、昼夜問わず内覧ロボット１０を制御でき、室内の明るさ、窓からの騒音、壁からの音を昼夜ともに内覧することができ、擬似的に住んでからの環境を体験することが可能となる。音については、内覧ロボット１０内の演算装置により処理を行い、ｄＢなどの客観的数値に変換して、顧客端末２０へデータを送信できる。温度、湿度について、内覧中のデータを内覧ロボット１０の情報保管ＤＢに保存し、内覧中に収得したデータをグラフなどで処理して、一括して顧客端末２０へデータを送信できる。
【００４４】
管理サーバ４０は、内覧終了時刻になると、顧客端末２０にロボット制御終了案内と、内覧ロボット１０に内覧終了キーを送信し、内覧ロボット１０は、情報処理プログラムにより、顧客端末２０へ内覧ロボット制御終了通知を送信し、顧客端末２０との接続を遮断し、顧客端末２０へのデータ送信を終了させる。
【００４５】
内覧終了後、不動産会社の担当者は、内覧希望物件に設置した内覧ロボット１０を引き上げて、不動産会社まで搬送し、内覧ロボットのＩＰアドレスの変更と、次の使用まで内覧ロボット１０に搭載したバッテリーを充電させておく。また、変更した内覧ロボット１０のＩＰアドレスについて、管理サーバー４０内の内覧ロボット予約情報ＤＢに保管されている内覧ロボット１０のＩＰアドレスについても、変更後のＩＰアドレスに書き換えを行う。
【００４６】
内覧ロボット１０の制御については、管理サーバ４０を介して行うこともできる。図２は、本不動産仲介業務支援システム１における内覧ロボットを使用して管理サーバを介して、内覧を行う際の手順を示すフローチャートである。
【００４７】
物件を探している顧客は、顧客端末２０から、ネットワーク５を介して、管理サーバ４０にアクセスでき、管理サーバ４０内にあらかじめ格納されている物件情報から、顧客の希望する物件を検索するプログラム、例えば汎用ブラウザプログラムを備えており、顧客は希望する物件を検索できる。
【００４８】
図４に示すように、顧客は、希望物件が見つかった時に、内覧ロボット１０を使用して内覧を希望する場合、顧客端末２０に表示される物件詳細情報の内容を図４に表示されたロボット案内使用希望をクリックすると、内覧ロボット１０の予約に必要な情報の、顧客氏名、住所、電話番号、メールアドレス、内覧希望物件、内覧希望日時を入力出来る状態となり、顧客は必要事項を入力する。必要事項を入力後に、図４に示す送信ボタンをクリックすると、ネットワーク５を介して管理サーバ４０へデータが送信される。
【００４９】
管理サーバ４０は、顧客端末２０から送信されたデータをもとに、内覧希望物件の空き状況を管理サーバ４０内の物件内覧予約情報ＤＢからと、内覧ロボット１０の空き状況を管理サーバ４０内の内覧ロボット予約情報ＤＢからと、を参照して確認する内覧ロボット予約管理プログラムを通じて、内覧ロボット１０での内覧可能かの判断をおこなう。内覧希望物件、もしくは内覧ロボット１０の予約に空きがなく、内覧できない場合は、顧客端末２０に内覧不可の情報を送信し、内覧出来る場合は、内覧可能と、内覧ロボット１０のロボットに関連した使用料金、支払い方法、支払い期限を送信しする。前記情報は、顧客が入力したメールアドレス宛にも、管理サーバーから同時に送信される。使用料金が物件所有者、不動産会社が負担の場合は、顧客の使用料金は発生しないので、使用料金なしの情報のみが送信される。
【００５０】
顧客端末２０には、管理サーバ４０から送信された前記情報が表示され、内覧可能な場合、顧客は、内覧申し込みボタンをクリック後に、各支払方法を記載したボタンから希望する使用料金の支払い方法を選択し、希望の支払方法のボタンをクリックする。もし、内覧を希望しない場合は、内覧申込み取り消しボタンをクリックする。
【００５１】
管理サーバ４０は、顧客から申込み情報を受け取ると、内覧ロボット予約管理プログラムを通じて、物件内覧予約情報ＤＢと、内覧ロボット予約情報ＤＢに顧客予約情報をインプットし、予約された時間帯に、他の予約受付が出来ないように管理する。
【００５２】
顧客は、使用料金を選択した支払い方法により通知された支払い期限までに支払いをおこなう。不動産会社の担当者は、顧客からの支払いを確認後に、管理サーバ４０に、支払い済み情報を入力する。
【００５３】
管理サーバー４０は、支払い期限までに支払い済み情報の入力がない場合は、顧客のメールアドレスに、支払い期限切れのため内覧予約をキャンセルする通知を行い、同時に物件内覧予約情報ＤＢと、内覧ロボット予約情報ＤＢに顧客予約キャンセル処理を行う。
【００５４】
管理サーバ４０は、支払い済み情報を入力されたことを確認後に、顧客が入力したメールアドレス宛へ、支払い完了と管理キー発行プログラムにより発行されるロボット制御受諾キー、例えば管理サーバ４０内の汎用ブラウザプログラムにより制御される非公開の個別内覧専用ＵＲＬとＵＲＬにログインするためのパスワードを送信する。管理サーバー４０は、内覧ロボット予約管理プログラムにより、内覧開始時刻にならないと、顧客端末２０から送信されるパスワードを受け付けないように管理する。
内覧開始時間になると、管理サーバ４０は、顧客が入力したメールアドレス宛に内覧開始時刻になっとことを通知するメールを送付し、顧客から送信されるパスワードにより、ＵＲＬへログインできる処理を行う。
【００５５】
顧客は、内覧開始時刻が来たら、顧客端末２０から、個別内覧専用ＵＲＬへ、送付されているＵＲＬ、パスワードを使用してログインすることで、顧客端末２０に図５のような内覧ロボット１０の制御操作、カメラの制御操作、室内映像、温度、湿度などが表示される。また同時に管理サーバ４０は、内覧ロボット１０とネットワーク５を介して通信を開始する。
【００５６】
顧客は、顧客端末２０に表示される図５のような制御操作画面から、内覧ロボット１０を移動させることができ、物件内を自由に内覧することができる。トイレ、風呂など暗い場所、夜間については、内覧ロボット１０に搭載されているライトを点灯させ、内覧できる。内覧ロボット１０に搭載しているカメラは、上下移動と角度を制御できる機能を備えており、低い位置からの映像、天井部分、床部分の映像、キッチン、バスタブ内の内覧もできる。カーテンレール、洗濯機置き場など寸法を測定したい場合には、内覧ロボット１０内のスマートフォンのアプリであるのと同等な機能を有する寸法測定プログラムにより映像を画像処理して寸法計算を行い、顧客端末２０に計算結果を表示する機能を有している。顧客端末２０は、内覧時間内であれば、前記操作を繰り返して行うことが出来る。
【００５７】
顧客は、内覧時間内であれば、昼夜問わず内覧ロボット１０を制御でき、室内の明るさ、窓からの騒音、壁からの音を昼夜ともに内覧することができ、擬似的に住んでからの環境を体験することが可能となる。音については、内覧ロボット１０内の演算装置により処理を行い、ｄＢなどの客観的数値に変換して、管理サーバ４０へ送信し、管理サーバ４０は送付されたデータを、顧客端末２０へ送信できる。温度、湿度について、内覧中のデータを内覧ロボット１０の情報保管ＤＢに保存し、内覧中に収得したデータをグラフなどで処理して、一括して管理サーバへ送付し、管理サーバは、顧客端末２０へデータを送信できる。
【００５８】
管理サーバ４０は、内覧終了時刻になると、顧客端末２０にロボット制御終了案内を送信し、顧客端末２０がログインしている管理サーバ４０内の汎用ブラウザプログラムにより制御されるＵＲＬから顧客端末２０の強制ログアウトを実施する。また管理サーバ４０は、内覧ロボット１０との通信を遮断し、個別内覧専用ＵＲＬへのログインパスワードの変更を実施する。内覧ロボットについては、前記同様に、不動産会社の担当者は、次の内覧に備えての準備を行う。
【００５９】
内覧ロボット１０は、内覧中の画像、温度、湿度、音などの情報を全て保管することができ、管理サーバ４０は、内覧終了後に、顧客の要求があった場合には、内覧ロボット１０の情報保管ＤＢに保管されている内覧中の動画、温度などの情報を、内覧終了後にも、顧客は、顧客の要求により、別途送付される専用ＵＲＬとパスワードを使用して、内覧中の動画、温度などを閲覧、確認することが可能である。
【００６０】
顧客端末２０の代わりに、スマートフォン、タブレットなどの携帯顧客端末３０からも、前記操作は可能である。
【００６１】
内覧ロボット１０は、賃貸物件のみならず、高齢者向け住宅、分譲マンション、分譲住宅などでも使用が可能であり、それぞれの物件を保有、もしくは管理している会社でも使用できる。
【符号の説明】
【００６２】
１  不動産仲介業務支援システム
５  ネットワーク
１０  内覧ロボット
２０  顧客端末
３０  携帯顧客端末
４０  管理サーバ
６１  ＣＰＵ
６２  ＲＡＭ
６３  ＨＤＤ
７１  ＣＰＵ
７２  ＲＡＭ
７３  付帯装置
７４  駆動部
７５  ＨＤＤ
７６  無線通信装置
【要約】
【課題】
不動産業者、もしくは顧客が物件に行かずに物件の内覧をすることが可能な不動産仲介業務支援システムを提供する。
【解決手段】
不動産仲介業務支援システム１は、顧客端末２０と、顧客端末２０と接続された不動産物件情報を管理する管理サーバ４０とを備え、顧客端末２０は、顧客端末２０に表示される物件詳細情報内から内覧したい物件を選択し、内覧物件選択が出来る。内覧予約が完了したときに、不動産物件情報を管理する管理サーバ４０から顧客端末２０に内覧ロボット１０を制御できるロボット制御キー送信する。顧客端末２０は、送信されたロボット制御キーを内覧ロボットに送信し、内覧ロボットがキーを確認後に制御許可することにより、顧客端末２０から内覧ロボットを制御できる。
【選択図】図２【図１】
0005963155.tif 000002
【図２】
0005963155.tif 000003
【図３】
0005963155.tif 000004
【図４】
0005963155.tif 000005
【図５】
0005963155.tif 000006
【図６】
0005963155.tif 000007
【図７】
0005963155.tif 000008